(57)【要約】【課題】第１の記録媒体に保存されているコンテンツを第２の記録媒体にダビングするに際し、ダビング対象とすべきコンテンツの選出、ダビング、および第２の記録媒体のレーベル面印刷までを一括して実行する。【解決手段】ステップＳ２で、ユーザが１以上のダビング対象コンテンツを選択し、ステップＳ３で、レーベル作成部が、ダビング対象コンテンツのメタデータをHDDから取得し、ステップＳ４で、レーベル面の印刷原稿を作成してユーザに提示する。そして、ステップＳ５で、ユーザからダビングおよび印刷の実行が指示された場合、ステップＳ７で、ダビング対象コンテンツをディスク媒体にダビングし、ステップＳ８で、ディスク媒体のレーベル面に印刷を行う。本発明は、HDDとディスクドライブを備えるビデオレコーダに適用することができる。【選択図】図４
2010192054.tif 000002
【特許請求の範囲】
【請求項１】
第１の記録媒体に記録されているコンテンツを、着脱自在な第２の記録媒体にダビングする記録装置において、
前記第１の記録媒体に記録されている前記コンテンツのうち、前記第２の記録媒体に対してダビングするダビング対象コンテンツを選出する選出手段と、
選出された前記ダビング対象コンテンツを前記第２の記録媒体にダビングするダビング手段と、
前記ダビング対象コンテンツがダビングされた後の前記第２の記録媒体に記録されているコンテンツを示す、第２の記録媒体のレーベル面に印刷するためのレーベル面情報を作成する作成手段と、
作成された前記レーベル面情報を前記第２の記録媒体のレーベル面に印刷させる印刷制御手段と
を含む記録装置。
【請求項２】
前記選出手段は、前記第１の記録媒体に記録されている前記コンテンツのうち、前記第２の記録媒体に既に記録されているコンテンツに関連するものを、前記第２の記録媒体に対してダビングするダビング対象コンテンツとして選出する
請求項１に記載の記録装置。
【請求項３】
前記第２の記録媒体に記録されている前記レーベル面情報を取得する取得手段を
さらに含み、
前記作成手段は、前記ダビング対象コンテンツが前記第２の記録媒体にダビングされた状態に対応して前記レーベル面情報を更新し、
前記印刷制御手段は、更新された前記レーベル面情報に基づき、前記第２の記録媒体のレーベル面に追記印刷させる
請求項２に記載の記録装置。
【請求項４】
前記選出手段は、前記第１の記録媒体に記録されている前記コンテンツのうち、前記第２の記録媒体に対してダビングするダビング対象の候補をユーザに提示し、前記ダビング対象の候補のうち、ユーザによって選択されたものを、前記ダビング対象コンテンツに選出する
請求項２に記載の記録装置。
【請求項５】
前記第２の記録媒体のレーベル面に印刷する印刷手段を
さらに含み、
前記印刷制御手段は、前記印刷手段を制御して、作成された前記レーベル面情報を前記第２の記録媒体のレーベル面に印刷させる
請求項２に記載の記録装置。
【請求項６】
第１の記録媒体に記録されているコンテンツを、着脱自在な第２の記録媒体にダビングする記録装置の記録方法において、
前記記録装置による、
前記第１の記録媒体に記録されている前記コンテンツのうち、前記第２の記録媒体に対してダビングするダビング対象コンテンツを選出し、
選出された前記ダビング対象コンテンツを前記第２の記録媒体にダビングし、
前記ダビング対象コンテンツがダビングされた後の前記第２の記録媒体に記録されているコンテンツを示す、第２の記録媒体のレーベル面に印刷するためのレーベル面情報を作成し、
作成された前記レーベル面情報を前記第２の記録媒体のレーベル面に印刷させる
ステップを含む記録方法。
【請求項７】
第１の記録媒体に記録されているコンテンツを、着脱自在な第２の記録媒体にダビングする記録装置の制御用のプログラムであって、
前記第１の記録媒体に記録されている前記コンテンツのうち、前記第２の記録媒体に対してダビングするダビング対象コンテンツを選出し、
選出された前記ダビング対象コンテンツを前記第２の記録媒体にダビングし、
前記ダビング対象コンテンツがダビングされた後の前記第２の記録媒体に記録されているコンテンツを示す、第２の記録媒体のレーベル面に印刷するためのレーベル面情報を作成し、
作成された前記レーベル面情報を前記第２の記録媒体のレーベル面に印刷させる
ステップを含む処理を記録装置のコンピュータに実行させるプログラム。
【発明の詳細な説明】
【技術分野】
【０００１】
本発明は、記録装置、記録方法、およびプログラムに関し、特に、例えば、録画して第１の記録媒体に記録されているテレビジョン番組などのコンテンツを、第２の記録媒体としてのディスク媒体にダビングするとともに、前記ディスク媒体のレーベル(label)面も印刷するようにした記録装置、記録方法、およびプログラムに関する。
【背景技術】
【０００２】
既存のビデオレコーダは、ハードディスクドライブ（以下、HDDと記述する）と、ディスク媒体を着脱自在に挿着するディスクドライブを備えたものが多く存在する。ここで、ディスク媒体とは、記録可能なDVD(Digital Versatile Disc)やＢＤ(Blu-Ray Disc)などを指す。
【０００３】
当該ビデオレコーダでは、録画したテレビジョン番組などのコンテンツおよびそのメタデータの記録先として、内蔵されたHDD、またはディスクドライブに挿着されたディスク媒体を選択することができる。
【０００４】
また、当該ビデオレコーダでは、HDDに保存しているコンテンツおよびメタデータをディスク媒体にダビングしたり、反対に、ディスク媒体に保存されているコンテンツをHDDにダビングしたりすることができる。ここで、なお、本明細書において、ダビングとは、コピーとムーブの両方の意味で用いることとする。
【０００５】
ところで、HDD上のコンテンツをディスク媒体にダビングする場合、HDD上のコンテンツ全てをディスク媒体に一括してダビングするとき以外において、ユーザには、ダビング対象のコンテンツを選択するという手間が生じてしまう。
【０００６】
このようなユーザの手間を軽減させるため、例えば、特許文献１には、HDD上のコンテンツのうち、録画予約時の予約ＩＤが同一であることに基づいて、シリーズ物のテレビジョン番組に相当するものを選出し、ダビング対象とする発明が提案されている。
【先行技術文献】
【特許文献】
【０００７】
【特許文献１】特開２００８−７７７３５号公報
【発明の概要】
【発明が解決しようとする課題】
【０００８】
しかしながら、特許文献１の発明では、例えば、同一の俳優が出演しているコンテンツを一括してダビング対象としたり、同一ジャンルに属するコンテンツを一括してダビング対象としたりするように、多様にダビング対象を選出することができなかった。
【０００９】
また、ダビングに際し、既に何らかのコンテンツが記録されているディスク媒体に対してコンテンツを追記する場合、ディスク媒体に既存のコンテンツに基づいて、ダビングする（追記する）コンテンツを選択するような技術は確立されていない。
【００１０】
またさらに、従来、ディスク媒体に記録されているコンテンツをユーザが把握するためには、当該ディスク媒体をビデオレコーダに装着して、記録されているコンテンツのリストを表示させる方法がある。また、最もシンプルな方法として、ディスク媒体のレーベル面に、記録済みコンテンツの情報を記載する方法がある。
【００１１】
しかしながら、ディスク媒体のレーベル面に当該情報を手書きするにしても、またはプリンタにて印刷するにしても、ユーザにとっては非常に面倒な作業となってしまう。
【００１２】
本発明はこのような状況に鑑みてなされたものであり、第１の記録媒体に保存されているコンテンツを第２の記録媒体にダビングするに際し、ダビング対象とすべきコンテンツの選出、ダビング、および第２の記録媒体のレーベル面に対する印刷までを一括して実行できるようにするものである。
【課題を解決するための手段】
【００１３】
本発明の一側面である記録装置は、第１の記録媒体に記録されているコンテンツを、着脱自在な第２の記録媒体にダビングする記録装置において、前記第１の記録媒体に記録されている前記コンテンツのうち、前記第２の記録媒体に対してダビングするダビング対象コンテンツを選出する選出手段と、選出された前記ダビング対象コンテンツを前記第２の記録媒体にダビングするダビング手段と、前記ダビング対象コンテンツがダビングされた後の前記第２の記録媒体に記録されているコンテンツを示す、第２の記録媒体のレーベル面に印刷するためのレーベル面情報を作成する作成手段と、作成された前記レーベル面情報を前記第２の記録媒体のレーベル面に印刷させる印刷制御手段とを含む。
【００１４】
前記選出手段は、前記第１の記録媒体に記録されている前記コンテンツのうち、前記第２の記録媒体に既に記録されているコンテンツに関連するものを、前記第２の記録媒体に対してダビングするダビング対象コンテンツとして選出するようにすることができる。
【００１５】
本発明の一側面である記録装置は、前記第２の記録媒体に記録されている前記レーベル面情報を取得する取得手段をさらに含むことができ、前記作成手段は、前記ダビング対象コンテンツが前記第２の記録媒体にダビングされた状態に対応して前記レーベル面情報を更新し、前記印刷制御手段は、更新された前記レーベル面情報に基づき、前記第２の記録媒体のレーベル面に追記印刷させるようにすることができる。
【００１６】
前記選出手段は、前記第１の記録媒体に記録されている前記コンテンツのうち、前記第２の記録媒体に対してダビングするダビング対象の候補をユーザに提示し、前記ダビング対象の候補のうち、ユーザによって選択されたものを、前記ダビング対象コンテンツに選出するようにすることができる。
【００１７】
本発明の一側面である記録装置は、前記第２の記録媒体のレーベル面に印刷する印刷手段をさらに含むことができ、前記印刷制御手段は、前記印刷手段を制御して、作成された前記レーベル面情報を前記第２の記録媒体のレーベル面に印刷させるようにすることができる。
【００１８】
本発明の一側面である記録方法は、第１の記録媒体に記録されているコンテンツを、着脱自在な第２の記録媒体にダビングする記録装置の記録方法において、前記記録装置による、前記第１の記録媒体に記録されている前記コンテンツのうち、前記第２の記録媒体に対してダビングするダビング対象コンテンツを選出し、選出された前記ダビング対象コンテンツを前記第２の記録媒体にダビングし、前記ダビング対象コンテンツがダビングされた後の前記第２の記録媒体に記録されているコンテンツを示す、第２の記録媒体のレーベル面に印刷するためのレーベル面情報を作成し、作成された前記レーベル面情報を前記第２の記録媒体のレーベル面に印刷させるステップを含む。
【００１９】
本発明の一側面であるプログラムは、第１の記録媒体に記録されているコンテンツを、着脱自在な第２の記録媒体にダビングする記録装置の制御用のプログラムであって、前記第１の記録媒体に記録されている前記コンテンツのうち、前記第２の記録媒体に対してダビングするダビング対象コンテンツを選出し、選出された前記ダビング対象コンテンツを前記第２の記録媒体にダビングし、前記ダビング対象コンテンツがダビングされた後の前記第２の記録媒体に記録されているコンテンツを示す、第２の記録媒体のレーベル面に印刷するためのレーベル面情報を作成し、作成された前記レーベル面情報を前記第２の記録媒体のレーベル面に印刷させるステップを含む処理を記録装置のコンピュータに実行させる。
【００２０】
本発明の一側面においては、第１の記録媒体に記録されているコンテンツのうち、第２の記録媒体に対してダビングするダビング対象コンテンツが選出され、選出されたダビング対象コンテンツが前記第２の記録媒体にダビングされる。また、ダビング対象コンテンツがダビングされた後の第２の記録媒体に記録されているコンテンツを示す、第２の記録媒体のレーベル面に印刷するためのレーベル面情報が作成され、作成されたレーベル面情報が第２の記録媒体のレーベル面に印刷される。
【発明の効果】
【００２１】
本発明の一側面によれば、第１の記録媒体に保存されているコンテンツを第２の記録媒体にダビングするに際し、ダビング対象とすべきコンテンツの選出、ダビング、および第２の記録媒体のレーベル面に対する印刷までを一括して実行することができる。
【図面の簡単な説明】
【００２２】
【図１】本発明を適用したビデオレコーダを含むシステムの構成例を示す図である。
【図２】本発明を適用したビデオレコーダの構成例を示すブロック図である。
【図３】図２の制御部の詳細な構成例を示すブロック図である。
【図４】ダビング・印刷処理を説明するフローチャートである。
【図５】ダビング候補提示処理を説明するフローチャートである。
【図６】ディスク媒体が挿着されたときのＵＩ画面の表示例を示す図である。
【図７】ディスク媒体がブランクディスクである場合のダビング対象候補を提示するＵＩ画面の表示例を示す図である。
【図８】ディスク媒体がブランクディスクではない場合のダビング対象候補を提示するＵＩ画面の表示例を示す図である。
【図９】ディスク媒体がブランクディスクではない場合のダビング対象候補を提示する簡略化されたＵＩ画面の表示例を示す図である。
【図１０】ダビング対象選択画面の表示例を示す図である。
【図１１】レーベル面の印刷原稿を提示するときの表示例を示す図である。
【図１２】レーベル面の印刷原稿を提示するときの他の表示例を示す図である。
【図１３】ダビング対象選択画面の他の表示例を示す図である。
【図１４】ダビング対象選択画面の他の表示例を示す図である。
【図１５】ダビング対象選択画面の他の表示例を示す図である。
【発明を実施するための形態】
【００２３】
以下、発明を実施するための最良の形態（以下、実施の形態と称する）について、図面を参照しながら詳細に説明する。なお、説明は、以下の順序で行なう。
１．第１の実施の形態
【００２４】
＜１．第１の実施の形態＞
図１は、本発明の一実施の形態であるビデオレコーダ１０を含むシステムの構成例を示している。
【００２５】
このビデオレコーダ１０は、主にテレビジョン番組に代表されるコンテンツを録画するとともに、録画したコンテンツを再生して、その映像および音声をＴＶ受像機１１などのモニタに出力するものである。また、ビデオレコーダ１０は、内蔵されたHDD４３に記録せれているコンテンツを、ディスクドライブ４１に挿着されたディスク媒体４０（いずれも図２）にダビングするに際し、ダビング対象とすべきコンテンツの選出、ダビング、およびディスク媒体４０のレーベル面に対する印刷までを一括して実行する。
【００２６】
なお、ビデオレコーダ１０は、ディスク媒体４０のレーベル面に対して印刷を行うレーベルプリンタ４２（図２）を内蔵しているが、外付けされたプリンタ１２にディスク媒体４０のレーベル面を印刷させることもできる。ただし、この場合、当然ながら、ユーザがディスク媒体４０をビデオレコーダ１０からプリンタ１２に移動させる必要がある。
【００２７】
また、ビデオレコーダ１０は、LAN１３を介してＰＣ１４に接続することができる。さらに、LAN１３およびWAN１５を介して所定のサーバ１６に接続することができる。またさらに、所定の無線通信規格（Bluetoothなど）を用いて、携帯電話、PDA(Personal Digital assistance)、PSP（プレイステーションポータブル。商標）などの携帯電子機器１７に接続することができる。
【００２８】
［ビデオレコーダ１０の構成例］
図２は、ビデオレコーダ１０の構成例を示すブロック図である。
【００２９】
ビデオレコーダ１０は、ビデオレコーダ１０の各部を制御する制御部２１、制御部２１によって実行される制御用プログラムなどを保持するメモリ２２、ユーザの操作を受け付けるリモートコントローラなどからなる操作入力部２３、および、制御部２１からの制御情報や各種データの伝送路となるバス２４から構成される。なお、制御部２１からバス２４を介して各部に通じる制御ラインの図示は適宜省略されている。
【００３０】
さらに、ビデオレコーダ１０は、デジタルチューナ２５、デマルチプレクサ２６、ストリームバッファ２７、アナログチューナ２８、ビデオデコーダ２９、復調部３０、EPG(Electronic Program Guide)デコーダ３１、およびＡＶエンコーダ３２から構成される。
【００３１】
デジタルチューナ２５は、地上デジタル放送、ＢＳデジタル放送などのデジタル放送信号を受信してデマルチプレクサ２６に出力する。デマルチプレクサ２６は、デジタルチューナ２５から入力されるデジタル放送信号をＡＶデータとEPGデータに分離し、ＡＶデータをストリームバッファ２７に出力し、EPGデータを、バス２４を介してHDD４３などに供給する。
【００３２】
アナログチューナ２８は、アナログ放送信号を受信して復調部３０に出力する。ビデオデコーダ２９は、外部I/F３７などに接続されたビデオカメラやUSBメモリなどから入力されるデジタルＡＶ信号をデコードし、その結果得られるアナログＡＶ信号を復調部３０に出力する。復調部３０は、アナログ放送信号を復調し、その結果得られるアナログＡＶ信号をＡＶエンコーダ３２に出力し、符号化された状態のEPGデータをEPGデコーダ３１に出力する。EPGデコーダ３１は、符号化された状態のEPGデータをデコードし、バス２４を介してHDD２４などに供給する。
ＡＶエンコーダ３２は、入力されるアナログＡＶ信号を、所定の符号化方式（MPEG2など）によって符号化し、その結果得られる符号化されたＡＶデータを、ストリームバッファ２７に供給する。
【００３３】
さらに、ビデオレコーダ１０は、ＡＶデコーダ３３、グラフィックデコーダ・描画部３４、重畳部３５、ＡＶ出力部３６、外部I/F３７、およびネットワークI/F３８から構成される。
【００３４】
ＡＶデコーダ３３は、ストリームバッファ２７から入力されるＡＶデータをデコードし、その結果得られるオーディオ信号およびビデオ信号を重畳部３５に出力する。グラフィックデコーダ・描画部３４は、各種設定画面やUI画面の描画用ビットマップデータの生成や、静止画データ(JPEG画像など)のデコードを行い、これらの画像信号を重畳部３５に出力する。重畳部３５は、デコーダ３３からのビデオ信号に、グラフィックデコーダ・描画部３４から供給される画像信号を適宜重畳してＡＶ出力部３６に出力する。ＡＶ出力部３６は、オーディオ信号およびビデオ信号を後段のテレビジョン受像機１１などに出力する。
【００３５】
外部I/F３７は、例えば、UBS端子、i.LINK端子、Bluetoothモジュールなどからなり、プリンタ１２、デジタルビデオカメラ、USBメモリなどと接続して各種データや制御コマンドを通信する。ネットワークI/F３８は、有線および無線によってLAN１３およびWAN１５に接続する。
【００３６】
またさらに、ビデオレコーダ１０は、ディスクドライブ４１、レーベルプリンタ４２、およびHDD４３から構成される。
【００３７】
ディスクドライブ４１は、挿着されるディスク媒体４０に対して、バス２４を介して供給されるコンテンツとそのメタデータを書き込む。
【００３８】
ここで、ディスク媒体４０としては、DVDやＢＤなどのディスク状記録媒体であって、追加記録が可能であり、さらに、レーベル面に対して印刷可能であるものを想定する。
【００３９】
また、ディスクドライブ４１は、ディスク媒体４０に記録されているコンテンツやそのメタデータを読み出し、バス２４を介してデコーダ３３に出力する。なお、ディスクドライブ４１に、複数のディスク媒体４０を装着できるディスクチェンジャを内蔵するようにしてもよい。
【００４０】
レーベルプリンタ４２は、ディスクドライブ４１に挿着された状態のディスク媒体４０のレーベル面に対して、ディスク媒体４０に記録されたコンテンツのタイトルなどからなるレーベル面情報を印刷する。
【００４１】
したがって、ビデオレコーダ１０では、ディスク媒体４０の記録層に対するコンテンツなどの記録と、レーベル面に対する印刷とを、ディスク媒体４０をディスクドライブ４１に挿着したままで連続的に実行することができる。
【００４２】
ただし、ディスク媒体４０のレーベル面に対する印刷にレーベルプリンタ４２を用いず、外部I/F３７やネットワークI/F３８を介して接続されているプリンタ１２に実行させてもよい。
【００４３】
HDD４３には、デジタル放送信号を元とするＡＶデータ、アナログ放送信号を符号化したＡＶデータ、外部入力されたＡＶ信号を元とするＡＶデータなどが記録される。以下、HDD４３に記録されたＡＶデータをコンテンツとも記述する。また、HDD４３には、記録されたコンテンツに対応付けてそのメタデータも記録される。コンテンツに対応するメタデータには、放送信号から取得したEPGデータや、インタネット上の所定のサーバから取得する番組情報などの他、ユーザが入力した情報や、映像または音声から抽出した特徴情報を採用できる。
【００４４】
次に、図３は、制御部２１がメモリ２２に記録されている制御用プログラムを実行することにより実現する機能ブロックの構成例を示している。ただし、図３に示す各機能ブロックを、ハードウェアによって構成するようにしてもよい。
【００４５】
ＵＩ部５１は、各種の設定画面やユーザに対して提示する各種のＵＩ画面のビデオ信号を生成し、その表示を制御する。ＵＩ部５１は、各種の設定画面やＵＩ画面に対するユーザからの入力を監視する。メタデータ取得部５２は、HDD４３やディスク媒体４０から、記録されているコンテンツに対応するメタデータを取得して、ダビング対象選定部５３に出力する。
【００４６】
ダビング対象選定部５３は、ユーザからの操作やメタデータ取得部５２から入力されるメタデータなどに基づき、HDD４３からディスク媒体４０にダビングするコンテンツ（以下、ダビング対象コンテンツ）を選出する。
【００４７】
レーベル作成部５４は、予め用意されているレーベル面印刷用テンプレート、およびダビングするコンテンツのメタデータに基づき、ダビング対象コンテンツが記録された後のディスク媒体４０のレーベル面に印刷するためのレーベル面情報（すなわち、レーベル面の印刷原稿）を作成する。なお、ディスク媒体４０に既にコンテンツが記録されている場合には、ディスク媒体４０にデータとして記録されているレーベル面情報にも基づいて、新たなレーベル面情報（レーベル面の印刷原稿）を作成する。
【００４８】
印刷制御部５５は、作成されたレーベル面情報（レーベル面の印刷原稿）をディスク媒体４０のレーベル面に印刷するようレーベルプリンタ４２を制御する。
【００４９】
ダビング制御部５６は、HDD４３およびディスクドライブ４１を制御して、HDD４３に記録されているダイビング対象コンテンツをディスク媒体４０にダビングさせる。また、ダビング制御部５６は、作成されたレーベル面情報をディスク媒体４０に記録する。
【００５０】
［動作説明］
次に、ビデオレコーダ１０の動作について説明する。
【００５１】
図４は、ビデオレコーダ１０によるダビング・印刷処理を説明するフローチャートである。
【００５２】
このダビング・印刷処理は、ユーザが選択したダビング対象コンテンツをディスク媒体４０にダビングするとともに、ダビング済みのディスク媒体４０に対してレーベル面を印刷するものである。
【００５３】
ダビング・印刷処理は、ユーザからダビングメニュー（ＵＩ画面）の表示が指示されたときに開始される。
【００５４】
ステップＳ１において、ＵＩ部５１は、HDD４３に記録済みのコンテンツのうち、ダビングが許可されているものの一覧から成るダビングリストを生成して表示させる。ステップＳ２において、ＵＩ部５１は、表示されたダビングリストの画面上において、ユーザが１以上のダビング対象コンテンツを選択するまで待機する。そして、ユーザがダビング対象コンテンツを選択した場合、ダビング対象選定部５３は、ユーザの選択に従いダビング対象コンテンツを決定し、決定結果をレーベル作成部５４およびダビング制御部５６に通知する。
【００５５】
ステップＳ３において、レーベル作成部５４は、ダビング対象コンテンツのメタデータをHDD４３から取得する。ステップＳ４において、レーベル作成部５４は、予め用意されているレーベル印刷用テンプレートに、ステップＳ２で取得したメタデータを適用することによりレーベル面情報を作成してＵＩ部５１および印刷制御部５５に出力する。ＵＩ部５１は、レーベル面情報（レーベル面の印刷原稿）を画面上に表示させ、すなわち、印刷プレビューを表示させてユーザに提示する。
【００５６】
ステップＳ５において、ＵＩ部５１は、提示した印刷プレビューを見たユーザから、ダビングおよび印刷の実行、中止、またはダビング対象の再選択若しくはレーベル印刷用テンプレートの再選択のいずれかが指示されるまで待機する。
【００５７】
ステップＳ５において、再選択が指示された場合、処理はステップＳ６に進められる。ステップＳ６において、ＵＩ部５１は、ダビング対象の再選択、またはレーベル印刷用テンプレートの再選択のどちらが指示されたのかを判定する。ダビング対象の再選択が指示された場合、処理はステップＳ２に戻され、ダビング対象コンテンツが再選択されることになる。
【００５８】
レーベル印刷テンプレートの再選択が指示された場合、処理はステップＳ４に戻されて、他のレーベル印刷用テンプレートを用いてレーベル面情報が再作成されることになる。
【００５９】
ステップＳ５において、ダビングおよび印刷の実行が指示された場合、処理はステップＳ７に進められる。
【００６０】
ステップＳ７において、ダビング制御部５６は、HDD４３およびディスクドライブ４１を制御して、ステップＳ２で通知されたダビング対象コンテンツを装着されているディスク媒体４０にダビングさせる。
【００６１】
ただし、ダビング対象コンテンツの数やそのデータサイズ、ディスク媒体４０の空き容量などによっては、ダビング対象コンテンツの全てを１枚のディスク媒体４０に記録しきれないことがある。この場合、１以上のダビング対象コンテンツを複数のディスク媒体４０に分割してダビングするようにしてもよい。複数のディスク媒体４０に分割してダビングする場合、現在装着中のディスク媒体４０に対する記録が終了した時点でステップＳ８の処理に進むようにする。
【００６２】
ステップＳ８において、印刷制御部５５は、レーベルプリンタ４２を制御して、ステップＳ４で通知されたレーベル面情報（レーベル面の印刷原稿）をディスク媒体４０のレーベル面に印刷させる。ダビング制御部５６は、ディスクドライブ４１を制御して、レーベル面印刷後のレーベル面の情報をディスク媒体４０に記録させる。
【００６３】
ステップＳ９において、ダビング制御部５６は、１以上のダビング対象コンテンツを複数のディスク媒体４０に分割してダビングする場合において、現在挿着中のディスク媒体４０が最終ディスクであるか否かを判定する。最終ディスクではないと判定された場合、処理はステップＳ１０に進められる。ステップＳ１０において、ＵＩ部５１は、ディスク媒体４０の交換をユーザに促し、ディスク媒体４０が交換されると、処理はステップＳ７に戻り、それ以降が繰り返される。
【００６４】
なお、ステップＳ５において、ダビングおよび印刷の中止が指示された場合には、その時点でダビング・印刷処理が終了される。
【００６５】
以上説明したように、ダビング・印刷処理によれば、ユーザによって選択された１以上のダビング対象コンテンツを、１以上のディスク媒体４０にダビングするとともに、ディスク媒体４０のレーベル面にレーベル面情報を印刷することができる。
【００６６】
なお、上述したダビング・印刷処理において、レーベル印刷用テンプレートの再選択を許容せず、レーベル印刷用テンプレートは１種類だけとしてもよい。この場合、ステップＳ６の処理は省略され、ステップＳ５において、再選択が指示された場合には、処理はステップＳ２に進められることになる。
【００６７】
また、１以上のダビング対象コンテンツを複数のディスク媒体４０に分割してダビングすることを考慮せず、１枚のディスク媒体４０にダビングできる分だけをダビングするようにし、ステップＳ９およびＳ１０の処理を省略するようにしてもよい。
【００６８】
さらに、ディスクドライブ４１がディスクチェンジャを内蔵している場合、ユーザに依存しているディスク媒体４０の交換を自動化することができる。
【００６９】
次に、図５は、ビデオレコーダ１０によるダビング候補提示処理を説明するフローチャートである。
【００７０】
このダビング候補提示処理は、HDD４３に記録されているコンテンツのうちのダビングが許可されているものの中から、ダビング対象コンテンツ候補を選出してユーザに提示するものである。
【００７１】
このダビング候補提示処理は、ディスク媒体４０がディスクドライブ４１に挿着され、ユーザからの所定の指示に応じて開始される。
【００７２】
ステップＳ２１において、ダビング対象選定部５３は、ディスクドライブ４１からの情報に基づき、挿着されているディスク媒体４０が、コンテンツが未記録のブランクディスクであるか否かを判定する。ブランクディスクではないと判定された場合、処理はステップＳ２２に進められる。なお、ブランクディスクであると判定された場合、ステップＳ２２はスキップされる。
【００７３】
ステップＳ２２において、ダビング対象選定部５３は、ディスクドライブ４１を制御して、ディスク媒体４０に記録されているコンテンツのメタデータ、ディスク媒体４０の空き容量（残量）、ディスク媒体４０のレーベル面情報などを取得する。
【００７４】
ステップＳ２３において、ダビング対象選定部５３は、HDD４３に記録されているコンテンツのうちのダビングが許可されているもののメタデータを取得し、取得したメタデータに基づいて、ダビング対象コンテンツ候補を選出する。なお、メタデータには、コンテンツのタイトル、出演者、コンテンツの内容の説明、放送チャンネルおよび放送日時などが含まれているものとする。
【００７５】
具体的には、挿着されているディスク媒体４０がブランクディスクであった場合、HDD４３のダビングが許可されているコンテンツを、相互に関連するものでグループ化し、ダビング対象コンテンツ候補として選出する。また、例えば、いわゆるサイマル放送された番組に対する複数のコンテンツが記録されている場合、最も高画質なもの、あるいは最も番組説明文が長いものだけをダビング対象候補としたりする。
【００７６】
また、挿着されているディスク媒体４０がブランクディスクではなかった場合、HDD４３のダビングが許可されているコンテンツのうち、ディスク媒体４０に記録済みのコンテンツに関連するものをダビング対象コンテンツ候補として選出する。
【００７７】
ここで、関連するコンテンツとは、放送回次の異なる同一番組のコンテンツ、同一ジャンルに属するコンテンツ、出演者が一致するコンテンツ、同一の題材が扱われているコンテンツなどを指す。なお、より具体的な例については、画面の表示例を参照しながら後述する。
【００７８】
さらに、ステップＳ２３において、ダビング対象選定部５３は、選出したダビング対象コンテンツ候補をＵＩ部５１に通知する。この通知に応じ、ＵＩ部５１は、ダビング対象候補の一覧を画面上に表示させてユーザに提示する。この提示とともに、ディスク媒体４０のレーベル面情報（レーベル面印刷原稿）も作成してユーザに提示するようにしてもよい。なお、ここでのレーベル面情報の作成時には、ディスク媒体４０がブランクディスクではなかった場合、ステップＳ２２で取得されたレーベル面情報が参照される。
【００７９】
ステップＳ２４において、ＵＩ部５１は、提示したダビング対象候補の一覧を見たユーザから、ダビングの実行、または中止の何方かが指示されるまで待機する。
【００８０】
ステップＳ２４において、ダビングの実行が指示された場合、処理はステップＳ２５に進められる。ステップＳ２５においては、提示したダビング対象候補の中からユーザがダビング対象コンテンツを指定した後、図４を参照して上述したダビング・印刷処理のステップＳ２以降の処理が実行される。
【００８１】
なお、ステップＳ２４において、ダビングの実行が指示されず中止が指示された場合、このダビング候補提示処理は終了される。以上で、ダビング候補提示処理の説明を終了する。
【００８２】
［画面の表示例］
次に、上述したダビング・印刷処理、およびダビング候補提示処理の過程におけるＵＩ画面について説明する。
【００８３】
なお、以下に説明するＵＩ画面は、通常、ビデオレコーダ１０にて受信しているテレビジョン番組の映像や、再生されたコンテンツの映像など重畳されて、モニタとしてのテレビビジョン受像１１に表示されるものである。しかしながら、当該ＵＩ画面を、例えば、リモートコントローラの画面に表示したり、LAN１３を介して接続されているＰＣ１４の画面に表示させたり、無線接続される電子機器１７の画面に表示させるようにしてもよい。
【００８４】
図６は、ディスクドライブ４１にディスク媒体４０が挿着されたときにポップアップ表示されるＵＩ画面の表示例である。このＵＩ画面１０１によってユーザは、ディスクドライブ４１にディスク媒体４０が正しく挿着されたことを認識できる。
【００８５】
図７は、挿着されたディスク媒体４０がブランクディスクである場合における、ダビング対象候補を提示するＵＩ画面１１１の表示例である。ＵＩ画面１１１では、同一ジャンル（刑事ドラマ、クラッシック番組）に属するコンテンツのグループと、同一人物が出演するコンテンツのグループがダビング可能であることを示している。このＵＩ画面１１１によってユーザは、挿着されたディスク媒体４０がブランクディスクであること、およびダビング対象候補のグループを把握することができる。
【００８６】
図８は、挿着されたディスク媒体４０がブランクディスクではない場合における、ダビング対象候補を提示するＵＩ画面１２１の表示例である。このＵＩ画面１２１によってユーザは、挿着されたディスク媒体４０に記録済みのコンテンツを把握できるだけでなく、記録済みのコンテンツに関連するダビング対象候補を把握することができる。
【００８７】
図９は、挿着されたディスク媒体４０がブランクディスクではない場合における、ダビング対象候補を提示する、簡略化されたＵＩ画面１３１の表示例である。この表示によってユーザは、挿着されたディスク媒体４０に記録済みのコンテンツを把握できるだけでなく、記録済みのコンテンツに関連するダビング対象候補のダビングを容易に指示することができる。
【００８８】
図１０は、図８に示されたＵＩ画面１２１から遷移するダビング対象選択画面の表示例である。このダビング対象選択画面１４１には、HDD４３に記録済みのコンテンツがグループ化されてそのタイトルが示されている。また、ディスク媒体４０に記録済みのコンテンツがグループ化されてそのタイトルが示されている。
【００８９】
さらに、HDD４３に記録済みのコンテンツのうち、ダビング対象候補のコンテンツは、ダビング対象候補ではないものよりも強調表示されている。なお、図示の都合上、図１０では、ダビング対象コンテンツのタイトルをゴシック体の太字で示し、ダビング対象ではないコンテンツのタイトルを明朝体で示している。しかしながら、強調表示の方法はこれに限らず、例えば、文字の色やサイズなどを変化させたりしてもよい。
【００９０】
またさらに、ダビング対象候補のうち、ユーザによってダビング対象に選択されたものはマーキングされるようになされている。図１０の場合、ダビング対象候補の全てがダビング対象に選択されており、タイトルの横に星印＊が付けられている。なお、ユーザによってダビング対象に選択されたものを、ディスク媒体４０に記録済みのコンテンツのタイトル表示（図１０の右側）に追加して表示するようにしてもよい。また、ダビング対象としたコンテンツの総データ量や、ダビング後のディスク媒体４０の残容量などを表示するようにしてもよい。
【００９１】
図１１は、ダビング対象選定後にユーザに提示されるレーベル面の印刷原稿１５１の表示例を示している。同図に示すように、レーベル面の印刷原稿１５１の段階では、ディスク媒体４０に記録済みのコンテンツの情報に対し、これから追記印刷されるコンテンツの情報が強調表示される。なお、図示の都合上、図１４では、ダビング対象コンテンツの情報をゴシック体の太字で示し、記録済みのコンテンツの情報を明朝体で示しているが、強調表示の方法はこれに限るものではない。
【００９２】
また、説明の便宜上、図１１では追記印刷部分が強調表示された原稿の提示例を示したが、ここでは必要に応じて差分の強調表示をしない実際の印刷結果（つまり全て明朝体で示される原稿）がユーザに提示されるようにしてもよい。また、強調表示した状態と強調表示しない状態の切り替えが可能でもよい。
【００９３】
レーベル面には、当該ディスク媒体４０に最初に書き込みが行われた日付（例えば、2008/05〜）、当該当該ディスク媒体４０に記録されているコンテンツの関連性を表す情報（例えば、刑事ドラマ）、コンテンツのタイトル（例えば、古林任三郎、相方スペシャルなど）、コンテンツの放送日とサブタイトル（例えば、5/28  #01  若旦那の犯罪など）などが印刷される。
【００９４】
図１２は、ダビング対象選定後にユーザに提示されるレーベル面の印刷原稿を示すＵＩ画面１６１の表示例を示している。同図に示すように、ユーザがレーベル面の任意の場所を指定して拡大表示できるようにしてもよい。このように、拡大表示が可能であれば、レーベル面に多くの文字を記載する場合などにおいて、ユーザは印刷される情報を容易に確認することができる。
【００９５】
図１３は、図６と同様、ディスクドライブ４１にディスク媒体４０が挿着されたときに表示されるＵＩ画面の他の表示例である。このダビング対象選択画面１７１には、ディスク媒体４０に記録済みのコンテンツの情報と、ディスク媒体４０のレーベル面の現在の印刷状態が示されている。
【００９６】
図１４は、図１３に示されたＵＩ画面１７１から遷移するダビング対象選択画面の他の表示例である。このダビング対象選択画面１８１では、ディスク媒体４０に記録済みのコンテンツの情報に追記して、ダビング対象候補のコンテンツの情報が強調されて表示される。また、ディスク媒体４０のレーベル面の印刷プレビューにも、現在の印刷状態に追加して、ダビング対象候補のコンテンツの情報が追加されて強調表示される。
【００９７】
さらに、ダビング対象選択画面１８１では、ユーザがダビング対象候補として提示されているグループ（記事ドラマセレクション、田中正和セレクション、スペシャルドラマセレクションなど）を変更させることができる。
【００９８】
例えば、図１４のダビング対象選択画面１８１では、刑事ドラマセレクションが選択されていることに応じ、刑事ドラマに属するタイトル「古林任三郎」の３コンテンツと、刑事ドラマに属するタイトル「相方スペシャル」の１コンテンツと、刑事ドラマに属するタイトル「古林スペシャル」の４コンテンツがダビング対象候補として提示されている。この状態から、ユーザがダビング対象候補として提示されているグループを、スペシャルドラマセレクションに変更した場合、画面表示は図１５に示すダビング対象選択画面１９１に遷移する、すなわち、スペシャルドラマに属するタイトル「相方スペシャル」の１コンテンツと、スペシャルドラマに属するタイトル「古林スペシャル」の４コンテンツがダビング対象候補として提示されることになる。
【００９９】
[まとめ]
以上説明したように、本発明を適用したビデオレコーダ１０によれば、挿着されたディスク媒体４０がブランクディスクである場合には、関連性のあるコンテンツを一括してダビングし、さらに、レーベル面にダビングしたコンテンツのタイトルなどを印刷することができる。
【０１００】
また、挿着されたディスク媒体４０がブランクディスクではない場合には、既に記録されているコンテンツに関連性のあるコンテンツを一括してダビングし、さらに、レーベル面にも、ダビングしたコンテンツのタイトルなどを追加して印刷することができる。
【０１０１】
したがって、ビデオレコーダ１０によれば、１枚のディスク媒体４０に関連性のないさまざまなコンテンツが混在してしまうことを抑止できる。また、反対に、関連性のあるコンテンツが、複数のディスク媒体４０に分散してダビングされてしまうことを抑止することができる。
【０１０２】
さらに、ビデオレコーダ１０によれば、ディスク媒体４０のレーベル面に対して、ダビングしたコンテンツのタイトルなどを印刷するので、ユーザは、当該ディスク媒体４０をプレーヤなどで再生することなく、一目で記録されているコンテンツを把握することができる。
【０１０３】
なお、ディスク媒体４０のレーベル面には、コンテンツのタイトルなどの他、例えば、コンテンツから生成したサムネイル画像などを印刷するようにしてもよい。
【０１０４】
本実施の形態においては、HDDからディスク媒体に対してダビングを行うことについて言及しているが、ダビング元の記録媒体はHDDに限定されない。また、ダビング先の記録媒体は、印刷可能なレーベル面を有するものであれば、ディスク媒体に限定されない。
【０１０５】
また、本発明は、本実施の形態のようなビデオレコーダのみならず、複数の記録媒体間でコンテンツをコピーする機能を有した電子装置、例えば、テレビジョン受像機、パーソナルコンピュータ、PDA、携帯電話、デジタルカメラ、デジタルビデオカメラ、プリンタ、プリンタ複合機などに適用することが可能である。
【０１０６】
本明細書において、システムとは、複数の装置により構成される装置全体を表すものである。
【０１０７】
なお、本発明の実施の形態は、上述した実施の形態に限定されるものではなく、本発明の要旨を逸脱しない範囲において種々の変更が可能である。
【符号の説明】
【０１０８】
１０  ビデオレコーダ，  ２１  制御部，  ２２  メモリ，  ２３  操作入力部，  ２５  デジタルチューナ，  ２８  アナログチューナ，  ４０  ディスク媒体，  ４１  ディスクドライブ，  ４２  レーベルプリンタ，  ４３  HDD，  ５１  ＵＩ部，  ５２  メタデータ取得部，  ５３  ダビング対象選定部，  ５４  レーベル作成部，  ５５  印刷制御部，  ５６  ダビング制御部
【図１】
2010192054.tif 000003
【図２】
2010192054.tif 000004
【図３】
2010192054.tif 000005
【図４】
2010192054.tif 000006
【図５】
2010192054.tif 000007
【図６】
2010192054.tif 000008
【図７】
2010192054.tif 000009
【図８】
2010192054.tif 000010
【図９】
2010192054.tif 000011
【図１０】
2010192054.tif 000012
【図１１】
2010192054.tif 000013
【図１２】
2010192054.tif 000014
【図１３】
2010192054.tif 000015
【図１４】
2010192054.tif 000016
【図１５】
2010192054.tif 000017